(57)【要約】      （修正有）【課題】ベランダや窓の近傍に縦方向に延設された、排水管などをよじ登って屋内に侵入される事を防止して、外観上の威嚇で不法侵入を抑止する事を目的とした、突起体付き防犯具を提供する。【解決手段】上下方向に縦長で下方に向け広がったスカート状に形成された筒体１ａの表面に複数の突起体１１を、放射状に配設し、前記筒体１ａの一側面に上下方向全域に渡り開口２を設け、該開口２の両端をＬ字形の取り付け部３、４として形成し、上面１ｄは前記開口２寄りに偏心して位置され、前記筒体１ａの内面対向面には上記保持手段が備えられ、上述の構成の組み合わせにより、被取り付け体の外環に沿うような構成を備え、筒体１ａの一側面にはコード１２（通電線内臓の電機コードでもよい）が取り付けられ、底面１ｃには隠蔽具１３を備えている事を特徴としている。【選択図】図１
2009264035.tif 000002
【特許請求の範囲】
【請求項１】
弾性復帰可能であり耐候性をも合わせ持つ素材を使用して、上下方向において縦長で、下方に向け広がったスカート状に形成された筒体であり、該筒体の表面には、周辺に複数の針状部を放射状に有する突起体が複数個突設されており、前記筒体の一側面には上下方向全域に渡り、開口が設けられており、該開口の両端は、外側に向け屈折してなる横断面概略Ｌ字形の取り付け部として形成され、前記筒体の上面嵌合孔は、前記筒体の一側面に設けられた、前記開口寄りに偏心して位置されており、該開口に相対する前記筒体の内面対向面には、被取り付け体に取り付けられるための保持手段が備えられており、上述の構成の組み合わせにより、前記筒体の固定状態において、前記横断面概略Ｌ字形の取り付け部を備えた前記筒体の一側面が、前記被取り付け体の外環に沿うように、上述の如き構成を備えた事を特徴とする突起体付き防犯具。
【請求項２】
上記筒体の一側面には、貫通孔が設けられ、該貫通孔には、左右表裏が別色で着色された電気コード類似のコードが取り付けられ、上記筒体の底面には、隠蔽具が備えられた事を特徴とする請求項1に記載の突起体付き防犯具。
【発明の詳細な説明】
【技術分野】
【０００１】
本発明は一戸建住宅、及びマンション、ビルのベランダや、窓の近傍に一定の隙間を保ち、建物外壁面に複数の控金（ひかえがね）で保持され、配設された樋や、上下水道用の配水管（以下総称してパイプ）など、特に縦方向に延設された該パイプの外環に取り付け、犯罪を目的とした不法侵入者の侵入を防止し、又外観上の威嚇で未然に侵入を抑止する事を目的とする突起体付き防犯具に関するものである。
【背景技術】
【０００２】
従来では上記パイプの外環に取り付けられる防犯具には、短い筒状体の外周面に尖鋭な針状体を放射状に突設して、前記筒状体を曲げ加工して断面Ｃ字形に形成し、相対する両端縁を内側に折り曲げてスリット状の開口として形成し、前記筒状体の表面の一部に把手を突設して、該把手を持ち、前記開口を前記パイプに押し当て、前記筒状体を複数個上記パイプに嵌め込み取り付けるものがある。（例えば特許文献１参照）
【０００３】
又、上記パイプの外環に取り付けられる防犯具には、湾曲した第１基部及び、第２基部のそれぞれから鋭利な尖端を有する複数の剣が、前記第１基部及び、第２基部のそれぞれに上方に向け延びる剣と、下方に向け延びる剣が前記第１基部及び、第２基部のそれぞれからから延設されており、前記第１基部の一端に設けられた十字型の係合孔の長手方向の長さを有する長孔に前記第２基部の幅広の係合片を水平にした状態で挿入し、幅狭の首に達したところで、９０度回転させると、前記第１基部の一端と前記第２基部の一端との係合が完了し、前記パイプに装着した時に前記第１基部の他端と前記第２基部の他端とが離間する事が出来、前記第２基部の他端に前記第２基部の他端を締め付け可能、且つ、取り外し不能の固着手段により前記パイプの外環に複数個固着させ、防犯効果を得ようとするものがある。（例えば特許文献２参照）
【０００４】
尚、従来の防犯具においての多くはいずれも玄関、又は窓ガラスを対象としているものが多数を占めており、上記パイプなどにはこれと言った防犯対策が取られていないのが現状である。
【０００５】
【特許文献１】実開平４−１４６５６号広報
【特許文献２】実用新案登録第３１１２８３４号広報
【非特許文献１】日本セキュリティー機器販売株式会社制留守番君II
【非特許文献１】コーナン商事（株）制ガラスアラームＧＢＡ-118
【発明の開示】
【発明が解決しようとする課題】
【０００６】
特に一般的な一戸建住宅の場合、通常上記パイプと上記建物外壁面の間隔は概ね、２０mmから３０mm程度しかない事が現状である事を課題とし、狭い間隔に取り付けられる構成を有する防犯具を創造する事を目的とし、又上記有刺部材には上記針状体以外の防犯対策を備えていない事を課題とし、上記忍び返しにも、上記第１基部及び、上記第２基部のそれぞれに上方に向け延びる上記剣と、下方に向け延びる上記剣、及び締め付け可能、且つ、取り外し不能の固着手段以外の防犯対策を備えていない事を課題とし、外観上、及びそれぞれの構成の組み合わせにより、他の防犯対策を備える事を目的とする。
【０００７】
しかしながら、特に一般的な一戸建住宅の場合、通常上記パイプと上記建物外壁面の間隔は概ね、２０mmから３０mm程度しかない事が現状である。上記特許文献１に記載の有刺部材によると、前記パイプの外環に複数個嵌め込み取り付けるとされているが、上記有刺部材は、上記把手を持ち上記開口を上記パイプに押し当て、前記パイプに嵌め込むだけのものであり、前記有刺部材には前記パイプに対する明確な固着手段が記載されていない。又前記有刺部材の前記把手は前記有刺部材の取り付け後に折り取る又は、取り外すと言う離脱手段が記載されていない。そのため、前記把手は前記有刺部材の取り付け後にも残存するものであるため、特に建物外壁面の垂直壁においては、前記把手を持ち下方に引き下ろす事ができると言う問題点があり、しかも前記有刺部材には上記尖鋭な針状体以外の防犯対策がとられていない。従って、前記パイプに取り付ける事が出来ても有効な防犯効果を発揮するものとは言い難い。
【０００８】
上記特許文献２に記載の忍び返しによると、建物外壁面に沿って延設された上記パイプの外環に対して取り付けると記載されている。しかしながら上述したように、特に一般的な一戸建住宅の場合、通常上記パイプと上記建物外壁面の間隔は、概ね２０mmから３０mm程度の間隔しかない事が現状である。従って、前記忍び返しについては、上記第１基部及び、第２基部のそれぞれから延設された上方に向け延びる上記剣と、下方に向け延びる上記剣が取り付け時に建物外壁に接触してしまい、建物外壁面を痛めてしまういと言う問題点がある。更に前記忍び返しについては、特に一般的な一戸建住宅に配設された前記パイプと前記建物外壁面の狭い間隔に収まるものとは言い難く、又前記忍び返しには取り外し不能になる上記係合手段、及び上方に向け延びる前記剣と、下方に向け延びる前記剣以外の防犯対策がとられていない。
【課題を解決するための手段】
【０００９】
上記課題を解決するために本発明は以下のような構成を採用した。
【００１０】
第一の解決手段は、弾性復帰可能であり耐候性をも合わせ持つ素材を使用して、上下方向において縦長で、下方に向け広がったスカート状に形成された筒体であり、該筒体の表面には、周辺に複数の針状部を放射状に有する突起体（以下省略して突起体）が複数個突設されており、前記筒体の一側面には上下方向全域に渡り、開口が設けられており、該開口の両端は、外側に向け屈折してなる横断面概略Ｌ字形の取り付け部（以下省略してＬ字形の取り付け部）として形成され、前記筒体の上面嵌合孔（以下省略して上面）は、前記筒体の一側面に設けられた、前記開口寄りに偏心して位置されており、該開口に相対する前記筒体の内面対向面には、被取り付け体に取り付けられるための保持手段が備えられており、上述の構成の組み合わせにより、前記筒体の固定状態において、前記横断面概略Ｌ字形の取り付け部を備えた前記筒体の一側面が、前記被取り付け体の外環に沿うように、上述の如き構成を備えた事を特徴としている。
【００１１】
第２の解決手段は、上記筒体の一側面には、貫通孔が設けられ、該貫通孔には、左右表裏が別色で着色された電気コード類似のコード（以下省略してコード）が取り付けられ、上記筒体の底面には、隠蔽具が備えられた事を特徴としている。
【発明の効果】
【００１２】
請求項1に記載の発明によれば、弾性復帰可能であり耐候性をも合わせ持つ素材を使用して、上下方向において縦長で、下方に向け広がったスカート状に形成された上記筒体であり、該筒体の表面には、上記突起体が複数個突設されており、前記筒体の一側面には上下方向全域に渡り、上記開口が設けられており、該開口の両端は、外側に向け屈折してなる上記L字形の取り付け部として形成され、前記筒体の上記上面は、前記筒体の一側面に設けられた前記開口寄りに偏心して位置されており、該開口に相対する前記筒体の内面対向面には、被取り付け体に取り付けられるための上記保持手段が備えられており、上述の構成の組み合わせにより、前記筒体の固定状態において、前記Ｌ字形の取り付け部を備えた前記筒体の一側面が、前記被取り付け体の外環に沿うように、上述の如き構成を備えられている。
【００１３】
従って、上記筒体は、上下方向において縦長で、下方に向け広がったスカート状に形成されており、該筒体の表面には、上記突起体が複数個突設されている。そのため、前記筒体は上記一被取り付け体に対して、前記一筒体の取り付けで十分な防犯効果を得る事が可能になり、取り付けに対する手間と労力も軽減出来、外観上の大きな威嚇にもなる。又実際における侵入の妨害にもなるため優れた防犯効果を発揮する事が可能になる。
【００１４】
特に本発明においては上記構成に加えて、一般的な一戸建住宅の場合、通常上記被取り付け体と上記建物外壁面の間隔は、概ね２０mmから３０mm程度の間隔しかない事が現状である。これに対応するために本発明は、上記筒体の一側面には上下方向全域に渡り、上記開口が設けられており、該開口の両端は、外側に向け屈折してなる上記L字形の取り付け部として形成され、前記筒体の上記上面は、前記筒体の一側面に設けられた前記開口寄りに偏心して位置されており、該開口に相対する前記筒体の内面対向面には、被取り付け体に取り付けられるための上記保持手段が備えられており、上述の構成の組み合わせにより、前記筒体の固定状態において、前記Ｌ字形の取り付け部を備えた前記筒体の一側面が、前記被取り付け体の外環に沿うように、前記筒体は前記被取り付け体の外環に取り付けられている。従って、建物外壁面を痛める事もなく、前記筒体は前記建物外壁面と前記被取り付け体との狭い間隔にも取り付ける事が可能になる。又前記筒体は、前記上面と前記保持手段による２箇所の保持により前記被取り付け体に取り付けられる。このため、より安定的で確実な取り付けが可能になる。
【００１５】
特に本発明においては上記構成に述べたそれぞれの要素が加えられて、本発明品は形成されているため、上記筒体の底面付近は掴もうとしても掴めない。又いみじくも、当該筒体を避けて上記パイプをよじ登ろうとしても、上述の構成の組み合わせにより侵入体制の大きな障害となるため実際の侵入を阻止する事が可能になり、又実際の侵入の妨害にもなるため優れた防犯効果を発揮する事が出来る。従って、上述の如き構成を備えた事により本発明は上記課題を解決する事が出来、上記被取り付け体の外環に取り付けられる防犯具としては、マンション、ビルのみならず一般的な一戸建住宅にも取り付けの実施を可能にした結果、上記課題を解決する事に至り、上記目的を達成する事を実現した。
【００１６】
請求項2に記載の発明によれば、上記筒体の一側面には、貫通孔が設けられ、該貫通孔には、左右表裏が別色で着色された上記コードが取り付けられ、上記筒体の底面には、上記隠蔽具が備えられている。
【００１７】
通常犯罪を目的とする不法侵入者は、日中に下見を行う傾向があると言われている。そのため、特に本発明においては上記筒体の一側面には、貫通孔が設けられ、該貫通孔には左右表裏が別色で着色された上記コードが取り付けられている。すなわち、下見段階にある不法侵入者は上記筒体の内部に電気的構造物が内蔵され、前記コードを介して屋内に設置された警報器やセンサーに接続されている事を想像する。従って、不法侵入者は大きな警戒心を抱いて侵入を敬遠する。
【００１８】
しかしながら上記コードは左右表裏が別色で着色されて、あたかも通電状態にある電気コードに見える、いわいるダミーの上記コードであるため製造コストも削減出来る。
【００１９】
上記構成に加えて特に本発明においては、上記筒体の底面には、上記隠蔽具が備えられている。従って下見段階にある不法侵入者は、前記筒体の内部構造の観察は出来ず上記コードがダミーであることが発覚する事はない。そのため前記筒体の内部に人感知器や触れると反応してＧＰＳを介して携帯電話に直接配信されるセンサーや、警備会社にＧPSを介して通報されるセンサー等、小型の電気的構造物が内蔵されている事を想像させる事により、侵入をあきらめさせる事が出来、水際で不法侵入を阻止する事が可能になる。
【００２０】
上述の構成を組み合わす事により本発明は、マンション、ビルのみならず一般的な一戸建住宅にも取り付けの実施を可能とし上記課題を解決する事に至り、目的を達成する事を実現し、新たな防犯対策を備えた防犯具を提供する事ができた結果、上記課題を解決する事に至り、上記目的を達成する事を実現した。
【発明を実施するための最良の形態】
【００２１】
図１は突起体付き防犯具１の外観上の構成を示す斜視図である。この突起体付き防犯具１は筒体１ａを基体として主に開口２を外側に屈折して形成されたL字形の取り付け部３、４と、筒体１ａの表面に複数個、放射状に配設された凹部８と、当該凹部８に接合される、針状部１１ａを備えた突起体１１から構成されている。
【００２２】
図２は筒体１ａの斜視図である。図に示すようにこの筒体１ａは、上下方向において縦長で、下方に向け広がったスカート状に形成されている。そのため筒体１ａの内部の多くは空洞に形成されている。図示例において筒体１ａの上面１ｂには、パイプ１８に対してより確実に取り付けが実施されるために、横断面概略Ｃ字形状に形成された平坦部１ｄが形成されている。しかしながら、この筒体１ａは図示例では円筒形に形成されているが、三角筒、四角筒、五角筒、六角筒等、任意の形状に形成されてもよい。すなわち、パイプ１８に嵌めこみ固定出来るものであれば他の形状を有する筒体に形成されてもよい。
【００２３】
一方、近代建築においては、角方の排水管を備えている建築物もある。これに対応するために、一変形例として、平坦部１ｄの内周に適度の厚み有し表面が防水加工を施された軟質性素材を取り付け、引き広げ自在且つ、締め付け可能とし、筒体１ａの固定状態においてパイプ１８に密着して平坦部１ｄを固定するもの。又は平坦部１ｄの内周にツバ、又は複数の突部、もしくは溝を形成する、もしくは筒体１ａと別体で平坦部１ｄの内面形状とほぼ合致するアタッチメントを形成して、該アタッチメントに溝、ないしツバ、もしくは、前記突部と嵌合する大きさで形成された嵌通孔、又は切り欠きを形成して、被取り付け体の形状にほぼ該当する開口部を有して形成された前記アタッチメントを分割し、前記開口部の双方に適度の厚みを有し表面が防水加工を施された軟質性素材を取り付け、前記アタッチメントの一方に開口２と対抗する箇所に突起を設け、他方には開口２と対抗する箇所に前記突起と嵌合する大きさで形成された嵌通孔を設けて、分割された双方の前記アタッチメントの前記嵌通孔に前記突起を挿入して組み合わせ、引き広げ自在且つ、締め付け可能とされた前記アタッチメントを前記突部、もしくはツバ、又は溝に（アタッチメント側に溝、又はツバが形成された場合は平坦部１ｄの上面に取り付けられる。）取り付け、（平坦部１ｄと一体で成形されてもよい）筒体１ａの固定状態においてパイプ１８に密着して平坦部１ｄを固定するもの。又は平坦部１ｄの内周にツバ、又は複数の突部、もしくは溝を形成する、もしくは筒体１ａと別体で平坦部１ｄの内面形状とほぼ合致するアタッチメントを形成して、該アタッチメントに溝、ないしツバ、もしくは、前記突部と嵌合する大きさで形成された嵌通孔、又は切り欠きを形成して、被取り付け体の形状にほぼ該当する開口部を有して形成された前記アタッチメントを分割（スリット加工が施されたものでもよい）し、前記開口部の双方に適度の厚みを有し表面が防水加工を施された軟質性素材を取り付け、引き広げ自在且つ、締め付け可能とされた、前記アタッチメントを前記突部、もしくはツバ、又は溝に（アタッチメント側に溝、ないしツバが形成された場合は平坦部１ｄの上面に取り付けられる。）取り付け、（平坦部１ｄと一体で成形されてもよい）筒体１ａの固定状態においてパイプ１８に密着して平坦部１ｄを固定するもの等、パイプ１８の形状に合わせたアタッチメントを付属させ平坦部１ｄとして転用してもよい。その際、上述した軟質性素材を質量がある割には軽量なウレタン樹脂等を使用して上記開口部に取り付ければ、幾種類かのパイプの径に適応する事も可能になる。
【００２４】
しかしながら、この平坦部１ｄはパイプ１８とほぼ隙間なく嵌合する大きさ、及び形状に形成されている事が好ましく、平坦部１ｄの内面には制作段階で滑り止め１ｅが貼り付けられている事が好ましい。この滑り止め１ｅの材質については図示例では軟質で軽量な防水加工が施されたウレタン樹脂が採用されている。又筒体１ａの大きさについては、パイプ１８の径に合わせて数種類用意される事が好ましい。尚筒体１ａの表面には複数の凹部８が放射状に配設されている。この凹部８は貫通孔でもよいが、図示例においては適度の肉厚を有する挿入孔状に形成されている。この凹部８には後述するように、針状部１１ａを備えた突起体１１が接合される。その際、この凹部８及び、凹部８ａは、針状部１１ａの先端どうしと、突起体１１の底部（以下省略して底部）１１ｂどうしが互いに接触しない配置間隔に設定しておく事が好ましい。図示例では筒体１ａと、L字形の取り付け部３、４と、柱状体６、６ａと、凸部７と、凹部８、８ａは弾性復帰可能であり耐候性をも合わせ持つポリエチレン等の合成樹脂からなる素材を使用して、共に一体で成形されている。しかしながら、材質については図示例に限られているものではなく、弾性復帰可能で耐候性を有する素材（ゴム、合成樹脂、防食塗装が施された金属板、及び非鉄金属板等）であれば任意の素材を採用してもよい。その際、下方に向け広がったスカート状の筒体状に曲げ加工を施し、表面には複数の貫通孔、もしくは挿入孔を設け、筒体１ａとして転用してもよい。
【００２５】
図３は、筒体１ａの概略上面図である。図に示すように筒体１ａには上下方向全域に渡り、開口２が設けられている。当該開口２の両端は外側に向け屈折され、筒体１ａの背面から突出するようにL字形の取り付け部３、４として形成されている。又筒体１ａは上面視において上面１ｂと、底面１ｃが開口２の仮想中心点で重なり合うような形態を示し偏心されている。そのためL字形の取り付け部３、４は、筒体１ａの背面に一定の突出幅を保ち垂直に位置されている。図示例において凹部８ａは、開口２の仮想中心点から下方に向けた仮想垂直線下の底面１ｃ寄りに位置され後述するように、凹部８のほぼ倍の長さを有する凹部８ａとして形成されている。図示例において、凹部８は筒体１ａの最背面には配設されていない。このため後述する突起体１１、及び針状部１１ａの双方は垂直壁１６に接触する事はなく、取り付けに対する妨げになる事はない。しかしながら、この凹部８ａの位置関係については、後述する保持具本体１０に備えられた突起１０ｂ、及び保持部１０ａの形状により異なるため、図示例の位置に限られるものではない。又この突起体付き防犯具１の内部の多くは空洞に形成され、更に開口２が上述したように上下方向全域に渡り設けられている。従って、前記筒体１ａは控金１７の上からの取り付けにも対応出来る構造に形成されているため最良の防犯効果を発揮すると想定し得る箇所に設置する事が可能になる。
【００２６】
図４はL字形の取り付け部３の透視図であり、図５はL字形の取り付け部４の透視図である。このL字形の取り付け部３、４は、互いの屈折部３ｃ、４ｃを基準として外側に向け屈折され形成されている。又L字形の取り付け部３、４の双方に設けられた貫通孔５、５ａ、５ｂ、５ｃ、７ａ、６ｂの口径は、いずれも適当な口径で統一されている事が工業生産には適している。一方、L字形の取り付け部４の外壁４ａには、柱状体６、６ａが突出して形成され、外壁４ａの上部には電子部品類似の凸部７が形成されている。図６に示すように柱状体６、６ａの内部には雌ネジ９、９ａが切り込まれている事が好ましく、この柱状体６、６ａは適度の肉厚を有して形成されている事が取り付け時において有利になる。凸部７に関しては、図示例では長方体であるが、円形体状等、他の形状を選択してもよい。又この凸部７は図示例では、L字形の取り付け部４の一方のみに形成されているがL字形の取り付け部３側にもこの凸部７を形成してもよい。又L字形の取り付け部３、４に設けられた貫通孔５、５ａ、５ｂ、５ｃ、７ａ、６ｂ、及び柱状体６、６ａは図示例によると、L字形の取り付け部３、４の外壁３ａ、４ａ上にそれぞれ配置されている。互いの位置関係については貫通孔５、５ｂと、柱状体６、６ａは互いの仮想水平線上に位置され、貫通孔５ａ、５ｃと、貫通孔７ａ、６ｂは互いの仮想水平線上に位置されている事が好ましい。尚一般的な一戸建住宅の場合、通常パイプ１８と建物外壁１６の間隔は概ね２０mmから3０mm程度であるため、L字形の取り付け部３、４の突出幅は、１０mmから１５mm程度の幅に形成される事が取り付け時において有利になる。しかしながら、マンションやビル等、大型の建物についてはこれに限られているものではない。
【００２７】
図７は保持具本体１０の上面図であり、図８は保持具本体１０の実施例の要部を示す斜視透明図である。図示例において、保持部１０ａと、突起１０ｂは筒体１ａと同一の素材を使用して一体で成形されている。しかしながら、保持部１０ａと、突起１０ｂは別体で形成され後述する突起１０ｂと凹部８ａの結合手段と同様に差し替え自在とし、保持部１０ａを幾種類か付属させ、幾種類かのパイプ１８の径に適応する事が出来るようにしてもよい。保持具本体１０と保持部１０ａ、及び突起１０ｂの材質については図示例に限られるものではなく、パイプ１８と筒体１ａの内部を連結して保持出来るものであれば他の素材（合成樹脂、ゴム、ポリエチレン、プラスチック、又は、金属、非鉄金属、木材等）を使用して保持具本体１０として転用してもよい。滑り止め１ｅに関しては、制作段階で保持部１０ａの内面に貼り付けられている事が好ましい。この滑り止め１ｅの材質について図示例では、軟質で軽量なウレタン樹脂が採用されている。図示例において、保持部１０ａに関しては、突起１０ｂの中心を軸として半円よりも、円周方向に向けて僅かに長い曲線面を有して形成されている。一方、保持部１０ａの概略半径は、筒体１ａの上部に設けられた平坦部１ｄの概略半径とほぼ合致するものを付属し、且つ、パイプ１８の径や形状に合わせて数種類用意される事が好ましい。この保持部１０ａの形状に関しては図示例の形状に限られるものではなく、任意の形状（コ字形、＜字形等）に形成されてもよい。又図示例において、突起１０ｂは、平坦部１ｄと平行に位置されるために、図９に示すように横断面四角形に形成された挿入孔１０ｃを有して形成されている。相対する凹部８ａに関しては、内面形状と内径は凹部８と同一に形成されている事が好ましく、外面形状については図１０に示すように、横断面四角形に形成され、凹部８のほぼ倍の長さ（同一の長さでもよい）に形成されている。尚この凹部８ａと挿入孔１０ｃの双方は互いに遊びなく嵌合する大きさに形成されている事が好ましい。ただし、挿入孔１０ｃの挿入長さについては、凹部８ａと挿入孔１０ｃが結合状態にある時に、平坦部１ｄの仮想垂直線下に位置される、前記挿入長さに設定される事が好ましい。この前記挿入長さについては筒体１ａの形状や凹部８ａの位置や長さにより変化されるため、図示例に限られるものではない。
【００２８】
しかしながら、凹部８ａと挿入孔１０ｃの互いの形状については、図示例に示す形状に限られているものではなく、当該形状については、任意の形状（円形、横断面三角、四角、五角等）を採用してもよい。尚この保持具本体１０については、制作段階で挿入孔１０ｃは、凹部８ａに挿入されている事が好ましい。しかしながら、筒体１ａと、パイプ１８における保持手段については、上記実施例に限られるものではない。上述のように突起体付き防犯具１の内部の多くは空洞に形成されている。そのため筒体１ａを内筒、外筒の二重構造とし、筒体１ａと同様に、前記内筒に上下方向全域に渡り開口を設け、筒体１ａに設けられた開口２寄りに偏心させ筒体１ａの内部に前記内筒（筒体１ａと一体で成形されてもよい）を取り付け、パイプ１８に嵌合させて保持するもの。又は、筒体１ａの内部両側面に保持面を有する突起を突設してパイプ１８に対して左右から保持するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、分割された該板材の双方の前記開口部に適度の厚みを有する軟質性素材を取り付け、一方の開口２と対抗する箇所に突起を設け、他方には開口２と対向する箇所に、前記突起と嵌合する大きさに形成された嵌通孔を設けて、分割された双方の前記板材の前記嵌通孔に前記突起を挿入して組み合わせ、引き広げ自在且つ、締め付け可能とされた前記板材を、底面１ｃに取り付けて前記開口部が筒体１ａの固定状態において、被取り付け体に密着して筒体１ａを保持し兼隠蔽するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、（スリット加工が施されたものでもよい）分割された該板材の双方の前記開口部に適度の厚みを有する軟質性素材を取り付け、引き広げ自在且つ、締め付け可能とされた前記板材を、底面１ｃに取り付けて前記開口部が筒体１ａの固定状態において、被取り付け体に密着して筒体１ａを保持し兼隠蔽すると言う保持具がある。
【００２９】
又は、図３に示す筒体１ａの底面付近Ｈの内周にツバ、もしくは溝を形成し筒体１ａと同様に偏心された箇所に開口部を有し、底面付近Ｈの内周の大きさとほぼ該当する大きさに形成された板材を分割し、分割された該板材の双方の前記開口部に適度の厚みを有する軟質性素材を取り付け、前記板材の一方に開口２と対向する箇所に突起を設け、他方には開口２と対向する箇所に、前記突起と嵌合する大きさに形成された嵌通孔を設けて、分割された双方の前記板材の前記嵌通孔に前記突起を挿入して組み合わせ、引き広げ自在且つ、締め付け可能とされた前記板材を、前記ツバ、又は前記溝に取り付け（筒体１ａの内部に一体で成形されてもよい）て、前記開口部が筒体１ａの固定状態において、被取り付け体に密着して筒体１ａを保持し兼隠蔽するもの。又は、図３に示す筒体１ａの底面付近Ｈの内周にツバ、又は溝を形成し、筒体１ａと同様に偏心された箇所に開口部を有して形成された板材を（開口２と対向する箇所にスリット加工が施されたものでもよい）分割し、分割された該板材の双方の前記開口部に適度の厚みを有する軟質性素材を取り付け、引き広げ自在且つ、締め付け可能とされた該板材の双方を前記ツバ、又は前記溝に取り付け、（筒体１ａの内部に一体で成形されてもよい）前記開口部が筒体１ａの固定状態において、被取り付け体に密着して筒体１ａを保持し兼隠蔽すると言うような保持手段がある。その際、上述した軟質性素材を、適度の厚みを有するウレタン樹脂等を使用して上記開口部に取り付ければ、一保持具で幾種類かのパイプの径や形状に適応し、前記開口部が前記パイプに密着して取り付けられる事により、隠蔽兼保持する事も可能になる。
【００３０】
又は、弾力性を備え適度の幅を有する軟質性素材を、図３に示す筒体１ａの底面付近Ｈの内周に取り付け、引き広げ自在且つ、締め付け可能とし、筒体１ａの固定状態において、被取り付け体に密着して筒体１ａを保持し兼隠蔽すると言うような保持手段がある。又は、前記軟質性素材が弾力性を備えた軟質性素材を、筒体１ａ内部の空洞部全面、もしくは内部前面及び内部両側面に装着して、前記軟質性素材の弾力で筒体１ａ内部の空洞部全面、もしくは内部前面及び内部両側面に負圧して、筒体１ａの固定状態において、被取り付け体に密着して保持し兼隠蔽するもの。又は、エアーバックのような風船状の気体を、筒体１ａ内部の空洞部全面もしくは、内部前面及び内部両側面に内蔵して、前記気体に対してコンプレッサーを使用して空気を注入して負圧し、その空気圧により筒体１ａの固定状態において、被取り付け体に密着して保持し兼隠蔽する等の保持手段を採用しても本発明の実施形態において、上記保持手段になりうるものとする
【００３１】
図１１は筒体１ａの取り付け実施例をL字形の取り付け部３方面から見た、概略側面透視図である。図に示すようにこの筒体１ａは、底面開口の最背部から上方に向けた仮想垂直線上に上面開口の最背部が位置され偏心されている。従って、L字形の取り付け部３、４の双方は、筒体１ａの背面において上下方向に一定の突出幅を有して垂直に位置されている。尚この筒体１ａは図１１における一実施例に限られるものではなく、前記上面開口と底面開口のそれぞれの中心点が上面視において、別の箇所に位置され偏心されてもよい。ただしその場合、L字形の取り付け部３、４の形状については、筒体１ａの上面から底面にかけて変化するため、側面視において逆三角形状、もしくは三角形状、又は台形状等に変形され形成される事になる。一方、上面１ｄと、保持部１０ａは図１１に示すように、互いに平行に位置され、双方ともパイプ１８に対して直角に密着して遊びなく嵌合されている事が好ましい。保持部１０ａについては、図１１に示すように、パイプ１８の半径よりも僅かに長い曲線面を有して形成されている事が好ましく、保持具本体１０の位置関係については図１１に示すように、凹部８と貫通孔５ｂを結ぶ仮想水平線上に保持具本体１０は位置されている事が好適である。しかしながら、この凹部８ａと保持具本体１０の位置関係については保持具本体１０に備えられた突起１０ｂ、及び保持部１０ａの形状により異なるため、図１１に示された図示例に限られるものではない。
【００３２】
図１２は突起体１１の拡大上面図であり、図１３は突起体１１の拡大斜視図である。図示例において突起体１１と、針状部１１ａ、及び円柱部１１ｃは筒体１ａと同一の素材を使用して共に、一体で成形されている。図に示すように、この突起体１１と、針状部１１ａは、互いに先端が鋭利に尖った円錐状に形成され、この針状部１１ａは、突起体１１の上段から下段にかけてほぼ隙間なく放射状に配設されている。突起体１１は図に示すように底部１１ｂで段付き加工が施され、底部１１ｂよりも小径に形成された円柱部１１ｃが、底部１１ｂの底面から延設されている。底部１１ｂから延設される円柱部１１ｃについては適度の太径に形成されて凹部８、８ａに遊びなく嵌合する大きさに形成されている事が好ましい。突起体１１の材質に関しては上述の素材以外でステンレス、アルミ等適度の強度を有し、耐食性を有するものであれば上述の素材以外のものを選択してもよい。又突起体１１、及び針状部１１ａの形状については図示例に示す形状に限られているものではなく、三角錐、四角錐、五角錐等、任意の形状を採用してもよい。ただし、突起体１１は制作段階において凹部８、８ａに接合されて接着（溶接される場合もある）され、折り取り不能になっている事が好適である。
【００３３】
図１４はL字形の取り付け部４の外壁４ａの上部の拡大正面図であり、図１５は図１４Ｄ−Ｄの拡大断面図である。図示例において凸部７は長方体状に形成され、貫通孔７ａを備えてL字形の取り付け部４の外壁４ａの上部に位置されている。又この凸部７の形状については図示例の形状に限られるものではなく、他の形状を採用してもよい。この凸部７には図に示すよう貫通孔７ａが備えられている。この貫通孔７ａの位置関係については図示例のように凸部７上に設けられる事はなく、筒体１ａの一側面で最良と想定し得る任意の箇所に設けてもよい。又この凸部７は、いわいるダミーの凸部として形成されている。しかしながら、L字形の取り付け部３、４の外壁３ａ、４ａもしくは、内壁３ｂ、４ｂ上に本物の電子部品の廃品、（新品でもよい）又は廃ケース（新品でもよい）などを利用して、接着固定して転用してもよい。尚この凸部７の位置関係について図示例では、L字形の取り付け部４の上方のみに配置されている。しかしながら、この図示例に限られるものではなく、L字形の取り付け部３、４の両側、そして下部、もしくは中部、最良と想定し得る位置に配置してもよい。
【００３４】
図１６はコード１２の概略上面図である。図示例においてこのコード１２は、軟質性のビニール樹脂等を使用して成形されている。このコード１２については図１７に示すように横断面概略８字形に形成されている事が好ましく、それに伴いコード１２は図示例において、左右表裏を赤と黒等、別色で着色されている。一方、このコード１２に関しては後述するように、取り付け時において切断し４本に分別して使用するため、６０００mm程度の長さを有している事が好適である。しかしながら、コード１２については通電線が内蔵された本物の電機コードを使用して、その端分を堅結び（両端に抜け止め加工を施し２本付属させてもよい）にして抜け止めとしコード１２として転用してもよい。
【００３５】
図１８は隠蔽具１３の上面図である。図示例において隠蔽具１３は、表面が防水加工を施された軟質で軽量なウレタン樹脂を使用して外周面１３ａ、溝１３ｂ、及び内周面１３Ｃ、フィン１３ｄはいずれも上面視において、円形状を呈して共に、一体で成形されている。この隠蔽具１３の構成は外周面１３ａが底面１ｃよりも大きく、フィン１３ｄの内径は、パイプ１８の外径よりも僅かに小径に形成されており溝１３ｂは、底面１ｃと合致する径で形成されている。一方、内周面１３ｃ、及びフィン１３ｄは、それぞれが、最も接近した箇所に偏心して位置され、上面視において最も偏心した箇所に横断面概略Ｃ字形の開口を有して形成されている。又フィン１３ｄは図１９に示すように内周面１３ｃよりも肉薄に形成され、パイプ１８寄り下部から下方に向け垂れ下がるように形成されている。そのため図２０に示すようにフィン１３ｄは、パイプ１８に密着して取り付けられる事になる。尚この隠蔽具１３は制作段階で溝１３ｂに底面１ｃが接着され、取り付けられている事が好まし。上述の実施例に示される隠蔽具１３は、軟質であるため緩衝性をも兼ね備えている。そのためこの隠蔽具１３は、自然災害による不測の落下時においても、地上にいる人や小動物にもたらす危害も軽減する事が出来る。しかしながら材質については上記実施例に限られるものではなく合成樹脂、ゴム、ポリエチレン、プラスチック、又は、金属、非鉄金属、及び木材等で制作されてもよい。形状についても上記実施例に限られるものではなく、三角形、四角形、五角形等、任意の形状を採用してもよい。すなわち、筒体１ａの内部構造を隠蔽出来得るものであれば他の素材や形状を採用して、筒体１ａの底面１ｃに装着し（筒体１ａと一体で成形されてもよい）てもよい。
【００３６】
又一変形例として隠蔽具１３は、筒体１ａと同様に偏心された箇所に開口部を有する板材を底面１ｃよりも僅かに大きく形成し、底面１ｃの外径と該当するツバ、もしくは溝を前記板材に形成して分割し、分割された該板材の双方の前記開口部に適度の厚みを有する軟質性素材を取り付け、一方の開口２と対抗する箇所に突起を設け、他方には開口２と対向する箇所に、前記突起と嵌合する大きさに形成された嵌通孔を設けて、分割された双方の前記板材の前記嵌通孔に前記突起を挿入して組み合わせ、引き広げ自在且つ、締め付け可能とされた前記板材を、底面１ｃに取り付けて前記開口部が筒体１ａの固定状態において、被取り付け体に密着して筒体１ａを隠蔽し兼保持するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、（スリット加工が施されたものでもよい）分割された該板材の双方の前記開口部に適度の厚みを有する軟質性素材を取り付け、引き広げ自在且つ、締め付け可能とされた前記板材を、底面１ｃに取り付けて前記開口部が筒体１ａの固定状態において、被取り付け体に密着して筒体１ａを隠蔽し兼保持すると言う隠蔽具がある。
【００３７】
又は、図３に示す筒体１ａの底面付近Ｈの内周にツバ、もしくは溝を形成し筒体１ａと同様に偏心された箇所に開口部を有し、底面付近Ｈの内周の大きさとほぼ該当する大きさに形成された板材を分割し、分割された該板材の双方の前記開口部に適度の厚みを有する軟質性素材を取り付け、前記板材の一方に開口２と対向する箇所に突起を設け、他方には開口２と対向する箇所に、前記突起と嵌合する大きさに形成された嵌通孔を設けて、分割された双方の前記板材の前記嵌通孔に前記突起を挿入して組み合わせ、引き広げ自在且つ、締め付け可能とされた前記板材を、前記ツバ、又は前記溝に取り付け（筒体１ａの内部に一体で成形されてもよい）て、前記開口部が筒体１ａの固定状態において、被取り付け体に密着して筒体１ａを保持し兼隠蔽するもの。又は、図３に示す筒体１ａの底面付近Ｈの内周に、ツバ、もしくは溝を形成し筒体１ａと同様に偏心された箇所に開口部を有し、底面付近Ｈの内周の大きさとほぼ該当する大きさに形成された板材を分割（スリット加工が施されたものでもよい）し、分割された該板材の双方の前記開口部に適度の厚みを有する軟質性素材を取り付け、引き広げ自在且つ、締め付け可能とされた前記板材を、前記ツバ、又は前記溝に取り付け（筒体１ａの内部に一体で成形されてもよい）て、前記開口部が筒体１ａの固定状態において、被取り付け体に密着して筒体１ａを保持し兼隠蔽すると言うような隠蔽具がある。その際、上述した軟質性素材を、適度の厚みを有するウレタン樹脂等を使用して上記開口部に取り付ければ、幾種類かのパイプの径や形状に適応して前記開口部が前記パイプに密着して取り付けられる事により、隠蔽兼保持する事も可能になる。
【００３８】
又は、弾力性を備え適度の幅を有する軟質性素材を、図３に示す筒体１ａの底面付近Ｈの内周に取り付け、引き広げ自在且つ、締め付け可能とし、筒体１ａの固定状態において、被取り付け体に密着して筒体１ａを隠蔽し兼保持すると言うようなものがある。又は、弾力性を備えた軟質性素材を筒体１ａ内部の空洞部全面、もしくは内部前面及び内部両側面に装着して、当該軟質性素材の弾力で筒体１ａ内部の空洞部全面、もしくは内部前面及び内部両側面に負圧して、筒体１ａの固定状態において、被取り付け体に密着して底面１ｃを隠蔽し兼保持するもの。又は、エアーバックのような風船状の気体を、筒体１ａ内部の空洞部全面もしくは、内部前面及び内部両側面に装着して、コンプレッサーを使用して空気を注入し、負圧してその空気圧により筒体１ａの固定状態において、被取り付け体に前記気体が密着して底面１ｃを隠蔽し兼保持する等の隠蔽具がある。尚上述したように筒体１ａの内部の多くは空洞である。すなわち、上記人感知器や触れると反応して警備会社にＧPSを介して通報されるセンサー等、小型の電気的構造物を筒体１ａの内部に内蔵して、隠蔽具１３の一部に開口を設け、当該開口にセンサーを取りつけ、ＧＰＳを介して携帯電話に直接配信されるセンサーや、警備会社にＧPSを介して通報される装置や、人が接近すると光が点滅する装置、又は屋内に設置された警報器に配信される感知器等を備える事が可能になる。
【００３９】
図２１は雄ネジ１４の拡大斜視図である。図示例においてネジ頭部１４ａは、正直方体状に形成されている。一方、雄ネジ１４のねじ山は、雌ネジ９、９ａのねじ山よりも僅かに高いねじ山を有して形成される事が好ましい。又このネジ頭部１４ａの形状は図示例に拘る事はなく、六角体状など一般的に市場で流通されているものを転用してもよい。尚図示例において雄ネジ１４の材質はステンレスであるが、耐食性金属であり適度の強度を有するものであれば、他の素材を採用してもよい。
【００４０】
図２２はネジカバー１５の拡大斜視図である。このネジカバー１５は、支持棒１５ａと、カバー１５ｂと、切り欠き１５ｃから構成されている。図示例において、支持棒１５ａ、カバー１５ｂ、切り欠き１５ｃのそれぞれは、プラスチック（金属などでもよい）を使用して共に、一体で成形されている。又カバー１５ｂの内面については、多少の遊びを持たせてネジ頭部１４ａに嵌合する大きさに形成される事が好ましい。支持棒１５ａについては後述するように、取り付け後にカバー１５ｂの内面に接着剤を塗布して乾燥後、切り欠き１５ｃで支持棒１５ａは折り取られるため、針状部１１ａ、及び突起体１１に取り付け者の手などが接触しない程度の長さを有して形成される事が好適である。
【実施例】
【００４１】
以下、本発明の一実施例を示す図２３に基づき、突起体付き防犯具１の取り付け実施例を順番に沿って説明して行く。
【００４２】
第１に、コード１２の一方が２５００mm程度になるように切断してその端分を堅結びにし、他方は概ね１０００mm程度になるように３分割に切断して、それぞれの端部を堅結びにする。
【００４３】
第２に、上記２５００mm程度に切断されたコード１２の切断面側をL字形の取り付け部４の内壁４ｂ側から貫通孔７ａに挿入し、上記３分割に切断されたコード１２のうちの一本をL字形の取り付け部３の内壁３ｂ側から、貫通孔５ａに挿入する。
【００４４】
第３に、残りのコード１２のそれぞれをL字形の取り付け部３・４の内壁３ｂ・４ｂ側から貫通孔５ｃ・６ｃに挿入する。
【００４５】
第４に、貫通孔５ａと７ａに挿入されたコード１２・１２の左右を両手に巻き回して、開口２の上部を引き広げながら平坦部１ｄをパイプ１８に嵌合させる。
【００４６】
第４に、貫通孔５ｃと、６ｂに挿入されたコード１２・１２の左右を両手に巻き回して、開口２下部を引き広げながら保持部１０ａをパイプ１８に嵌合させる。
【００４７】
第５に、雄ネジ１４・１４をL字形の取り付け部４側の貫通孔５・５ｂからL字形の取り付け部４側の柱状体６・６ａに向け回転させ、雌ネジ９・９ａにねじ込み突起体付き防犯具１をパイプ１８に固定する。
【００４８】
第６に、ネジカバー１５・１５のカバー１５ｂ・１５ｂの内部に接着剤を塗布して支持棒１５ａ・１５ａの端部を持ち、ネジ頭部１４ａ・１４ａにカバー１５ｂ・１５ｂを嵌合させ前記接着剤の乾燥を待つ。
【００４９】
第７に、上記接着剤の乾燥後、支持棒１５ａ・１５ａの端部を持ち切り欠き１５ｃ・１５ｃの部分で支持棒１５ａ・１５ａを折り取ると突起体付き防犯具１は、パイプ１８から取り外し不能になる。
【００５０】
第８に、貫通孔７ａに挿入済みのコード１２以外の３本のコード１２を切断面側から押し出すようにして抜き取る。
【００５１】
第９に、取り残されたコード１２を図２３に示すようにベランダなどの底部に忍ばせておく。その際、鉢植えなど突起体付き防犯具１以上の重量を有する日用品などにコード１２の端部を結びつけておけば、自然災害などによる不測の落下時においても有利に働く。
【００５２】
上述の如く本発明の一実施例を紹介したが、具体的な構成は上記記述の実施形態に限られるものではなく、又上述したように上記記載の突起体付き防犯具１の内部の多くは空洞である。従って、人感知器や触れると反応して警備会社にＧPSを介して通報されるセンサー等、小型の電気的構造物を筒体１ａの内部に内蔵して、隠蔽板１３の一部に開口を設け、当該開口にセンサーを取りつけ、警備会社にＧPSを介して通報される装置やＧＰＳを介して携帯電話に直接配信されるセンサー等を内蔵する事が可能である。すなわち、前記空洞に音を発するもの、あるいは小型のＣＣＤカメラや人感知器等、当業者に対して自明な構造品を内蔵しても本発明の外観、及び内部保持手段、更に上記電気コード類似のコード、あるいは本物の電気コード、電子部品類似に形成され凸部７（本物の電子部品でもよい）、上記隠蔽具などについての要旨を逸脱しない範囲の設計の変更等があっても本発明に帰属されるものとする。
【図面の簡単な説明】
【００５３】
【図１】突起体付き防犯具１の斜視図。
【図２】筒体１ａの斜視図。
【図３】筒体１ａの概略上面図。
【図４】横断面概略Ｌ字形の取り付け部３の透視図。
【図５】横断面概略Ｌ字形の取り付け部４の透視図。
【図６】図５Ａ−Ａの拡大断面図。
【図７】保持具本体１０の上面図。
【図８】保持具本体１０の実施例の要部を示す斜視透明図。
【図９】図７Ｂ−Ｂの拡大断面図。
【図１０】図８Ｃ−Ｃの拡大断面図。
【図１１】筒体１ａの取り付け実施例をL字形の取り付け部３方面から見た概略側面透視図。
【図１２】突起体付１１の拡大上面図。
【図１３】突起体付１１の拡大斜視図。
【図１４】横断面概略Ｌ字形の取り付け部４の外壁４ａの上部の拡大正面図。
【図１５】図１４Ｄ−Ｄの拡大断面図。
【図１６】電気コード類似のコード１２の概略上面図。
【図１７】図１６Ｅ−Ｅの拡大断面図。
【図１８】隠蔽具１３の上面図。
【図１９】図１８Ｆ−Ｆの拡大断面図。
【図２０】隠蔽具１３の取り付け実施例の要部を示す概略側面透視図。
【図２１】雄ネジ１４の拡大斜視図。
【図２２】ネジカバー１５の拡大斜視図。
【図２３】突起体付き防犯具１の取り付け実施例を示す側面図。
【符号の説明】
【００５４】
１・・・・・・・・・・・・突起体付き防犯具。
１ａ・・・・・・・・・・・筒体。
１ｂ・・・・・・・・・・・上面嵌合孔。
１ｃ・・・・・・・・・・・底面。
１ｄ・・・・・・・・・・・平坦部。
１ｅ・・・・・・・・・・・滑り止め。
２・・・・・・・・・・・・横断面概略Ｃ字形の開口。
３・・・・・・・・・・・・横断面概略Ｌ字形の取り付け部。
３ａ・・・・・・・・・・・外壁。
３ｂ・・・・・・・・・・・内壁。
３ｃ・・・・・・・・・・・屈折部。
４・・・・・・・・・・・・横断面概略Ｌ字形の取り付け部。
４ａ・・・・・・・・・・・外壁。
４ｂ・・・・・・・・・・・内壁。
４ｃ・・・・・・・・・・・屈折部。
５．５ａ．５ｂ．５ｃ・・・貫通孔。
６．６ａ・・・・・・・・・柱状体。
６ｂ・・・・・・・・・・・貫通孔。
７・・・・・・・・・・・・電子部品類似の凸部。
７ａ・・・・・・・・・・・貫通孔。
８・・・・・・・・・・・・凹部。
８ａ・・・・・・・・・・・ほぼ倍の長さに形成された凹部。
９．９ａ・・・・・・・・・雌ネジ。
１０・・・・・・・・・・・保持具本体。
１０ａ・・・・・・・・・・保持部。
１０ｂ・・・・・・・・・・突起。
１０ｃ・・・・・・・・・・挿入孔。
１１・・・・・・・・・・・突起体。
１１ａ・・・・・・・・・・針状部。
１１ｂ・・・・・・・・・・底部。
１１ｃ・・・・・・・・・・円柱部。
１２・・・・・・・・・・・電気コード類似のコード。
１３・・・・・・・・・・・隠蔽具。
１３ａ・・・・・・・・・・外周面。
１３ｂ・・・・・・・・・・溝。
１３ｃ・・・・・・・・・・内周面。
１３ｄ・・・・・・・・・・フィン。
１４・・・・・・・・・・・雄ネジ。
１４ａ・・・・・・・・・・ねじ頭部。
１５・・・・・・・・・・・ネジカバー。
１５ａ・・・・・・・・・・支持棒。
１５ｂ・・・・・・・・・・カバー。
１５ｃ・・・・・・・・・・切り欠き。
１６・・・・・・・・・・・垂直壁。
１７・・・・・・・・・・・控金。
１８・・・・・・・・・・・パイプ
Ｈ・・・・・・・・・・・・筒体１ａの底面付近。
【図１】
2009264035.tif 000003
【図２】
2009264035.tif 000004
【図３】
2009264035.tif 000005
【図４】
2009264035.tif 000006
【図５】
2009264035.tif 000007
【図６】
2009264035.tif 000008
【図７】
2009264035.tif 000009
【図８】
2009264035.tif 000010
【図９】
2009264035.tif 000011
【図１０】
2009264035.tif 000012
【図１１】
2009264035.tif 000013
【図１２】
2009264035.tif 000014
【図１３】
2009264035.tif 000015
【図１４】
2009264035.tif 000016
【図１５】
2009264035.tif 000017
【図１６】
2009264035.tif 000018
【図１７】
2009264035.tif 000019
【図１８】
2009264035.tif 000020
【図１９】
2009264035.tif 000021
【図２０】
2009264035.tif 000022
【図２１】
2009264035.tif 000023
【図２２】
2009264035.tif 000024
【図２３】
2009264035.tif 000025
【手続補正書】
【提出日】平成20年5月2日(2008.5.2)
【手続補正１】
【補正対象書類名】明細書
【補正対象項目名】００２３
【補正方法】変更
【補正の内容】
【００２３】
一方、近代建築においては、角形の排水管を備えている建築物もある。これに対応するために、一変形例として、平坦部１ｄの内周に適度の厚みを有し表面が防水加工を施された軟質性素材を取り付け、引き広げ自在且つ、締め付け可能とし、筒体１ａの固定状態においてパイプ１８に密着して平坦部１ｄを固定するもの。又は平坦部１ｄの内周にツバ、又は複数の突部、もしくは溝を形成し、筒体１ａと別体で平坦部１ｄの内面形状に該当するするアタッチメントを形成して、該アタッチメントに溝、ないしはツバ、もしくは、前記突部と嵌合する大きさで形成された嵌通孔、又は切り欠きを形成して、被取り付け体の形状にほぼ該当する開口部を有して形成された前記アタッチメントを分割し、分割された前記開口部の双方に適度の厚みを有する表面が防水加工を施された軟質性素材を取り付け、前記アタッチメントの一方には開口２と対抗する箇所に突起を設け、他方には開口２と対抗する箇所に前記突起と嵌合する大きさで形成された嵌通孔を設けて、分割された前記アタッチメントの前記嵌通孔に前記突起を挿入して組み合わせ、引き広げ自在且つ、締め付け可能とされた前記アタッチメントを前記平坦部１ｄの内周に設けられた突部、もしくはツバ、又は溝に（アタッチメント側に溝、又はツバが形成された場合は平坦部１ｄの上面に取り付けられる。）取り付け、（平坦部１ｄと一体で成形されてもよい）筒体１ａの固定状態においてパイプ１８に密着して平坦部１ｄを固定するもの。又は平坦部１ｄの内周にツバ、又は複数の突部、もしくは溝を形成し、筒体１ａと別体で平坦部１ｄの内面形状とほぼ合致するアタッチメントを形成して、該アタッチメントに平坦部１ｄの内周に設けられた前記溝ないしはツバと嵌合する溝、ないしツバ、もしくは、前記突部と嵌合する大きさで形成された嵌通孔、又は切り欠きを形成して、被取り付け体の形状にほぼ該当する開口部を有して形成された前記アタッチメントを分割（スリット加工が施されたものでもよい）し、前記開口部の双方に適度の厚みを有する表面が防水加工を施された軟質性素材を取り付け、引き広げ自在且つ、締め付け可能とされた、前記アタッチメントを前記突部、もしくはツバ、又は溝に（アタッチメント側に溝、ないしツバが形成された場合は平坦部１ｄの上面に取り付けられる。）取り付け、（平坦部１ｄと一体で成形されてもよい）筒体１ａの固定状態においてパイプ１８に密着して平坦部１ｄを固定するもの等、パイプ１８の形状及び平坦部１ｄの形状に合わせたアタッチメントを付属させ上面１ｂとして転用してもよい。その際、上述した軟質性素材を質量がある割には軽量なウレタン樹脂等を使用して上記開口部に取り付ければ、幾種類かのパイプの径に適応する事も可能になる。
【手続補正２】
【補正対象書類名】明細書
【補正対象項目名】００２８
【補正方法】変更
【補正の内容】
【００２８】
しかしながら、凹部８ａと挿入孔１０ｃの互いの形状については、図示例に示す形状に限られているものではなく、当該形状については、任意の形状（円形、横断面三角、四角、五角等）を採用してもよい。尚この保持具本体１０については、制作段階で挿入孔１０ｃは、凹部８ａに挿入されている事が好ましい。しかしながら、筒体１ａと、パイプ１８における保持手段については、上記実施例に限られるものではない。上述のように突起体付き防犯具１の内部の多くは空洞に形成されている。そのため筒体１ａを内筒、外筒の二重構造とし、筒体１ａと同様に、前記内筒に上下方向全域に渡り開口を設け、筒体１ａに設けられた開口２寄りに偏心させ筒体１ａの内部に前記内筒（筒体１ａと一体で成形されてもよい）を取り付け、パイプ１８に嵌合させて保持するもの。又は、筒体１ａの内部両側面に保持面を有する突起を突設してパイプ１８に対して左右から保持するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、分割された該板材の双方の前記開口部に適度の厚みを有する軟質性素材を取り付け、分割された該板材の一方には開口２と対抗する箇所に突起を設け、他方には開口２と対向する箇所に、前記突起と嵌合する大きさに形成された嵌通孔を設けて、分割された前記板材の前記嵌通孔に前記突起を挿入して組み合わせ、引き広げ自在且つ、締め付け可能とされた前記板材を、底面１ｃに取り付けて前記開口部が筒体１ａの固定状態において、被取り付け体に密着して筒体１ａを保持し兼隠蔽するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、（開口２と対向する箇所にスリット加工が施されたものでもよい）分割された該板材の双方の前記開口部に適度の厚みを有する軟質性素材を取り付け、引き広げ自在且つ、締め付け可能とされた前記板材を、底面１ｃに取り付けて前記開口部が筒体１ａの固定状態において、被取り付け体に密着して筒体１ａを保持し兼隠蔽すると言う保持具がある。
【手続補正３】
【補正対象書類名】明細書
【補正対象項目名】００２９
【補正方法】変更
【補正の内容】
【００２９】
又は、図３に示す筒体１ａの底面付近Ｈの内周にツバ、もしくは溝を形成し筒体１ａと同様に偏心された箇所に開口部を有し、底面付近Hの内径とほぼ該当する大きさに形成された板材に、筒体１ａと同様に偏心された箇所に開口部を設けて分割し、分割された該板材の双方の前記開口部に適度の厚みを有する軟質性素材を取り付け、分割された前記板材の一方には開口２と対向する箇所に突起を設け、他方には開口２と対向する箇所に、前記突起と嵌合する大きさに形成された嵌通孔を設けて、分割された前記板材の前記嵌通孔に前記突起を挿入して組み合わせ、引き広げ自在且つ、締め付け可能とされた前記板材を底面付近Ｈの内周に形成された、前記ツバ、又は前記溝に取り付け（筒体１ａの内部に一体で成形されてもよい）て、前記開口部が筒体１ａの固定状態において、被取り付け体に密着して筒体１ａを保持し兼隠蔽するもの。又は、図３に示す筒体１ａの底面付近Ｈの内周にツバ、又は溝を形成し、筒体１ａと同様に偏心された箇所に開口部を有して形成された板材を（開口２と対向する箇所にスリット加工が施されたものでもよい）分割し、分割された該板材の双方の前記開口部に適度の厚みを有する軟質性素材を取り付け、引き広げ自在且つ、締め付け可能とされた該板材の双方を前記ツバ、又は前記溝に取り付け、（筒体１ａの内部に一体で成形されてもよい）前記開口部が筒体１ａの固定状態において、被取り付け体に密着して筒体１ａを保持し兼隠蔽すると言うような保持手段がある。その際、上述した軟質性素材を、適度の厚みを有するウレタン樹脂等を使用して前記開口部に取り付ければ、一保持具で幾種類かのパイプの径や形状に適応し、前記開口部が前記パイプに密着して取り付けられる事により、隠蔽兼保持する事も可能になる。
【手続補正４】
【補正対象書類名】明細書
【補正対象項目名】００３０
【補正方法】変更
【補正の内容】
【００３０】
又は、筒体１ａと同様に偏心された箇所に開口部を有する弾力性を備えた適度の厚みを有する軟質性素材を、図３に示す筒体１ａの底面付近Ｈの内周に形成された前記ツバに前記軟質性素材を取り付け、引き広げ自在且つ、締め付け可能とし、筒体１ａの固定状態において、被取り付け体に密着して筒体１ａを保持し兼隠蔽すると言うような保持手段がある。又は、適度の厚みを有する軟質性素材を、筒体１ａ内部の空洞部全面、もしくは内部前面及び内部両側面に装着して、前記軟質性素材の弾力で筒体１ａ内部の空洞部全面、もしくは内部前面及び内部両側面に負圧して、筒体１ａの固定状態において、被取り付け体に密着して保持し兼隠蔽するもの。又は、エアーバックのような風船状の気体を、筒体１ａ内部の空洞部全面もしくは、内部前面及び内部両側面に内蔵して、前記気体に対してコンプレッサーを使用して空気を注入して負圧し、その空気圧により筒体１ａの固定状態において、被取り付け体に密着して保持し兼隠蔽する等の保持手段を採用しても本発明の実施形態において、上記保持手段になりうるものとする
【手続補正５】
【補正対象書類名】明細書
【補正対象項目名】００３５
【補正方法】変更
【補正の内容】
【００３５】
図１８は隠蔽具１３の上面図である。図示例において隠蔽具１３は、表面が防水加工を施された軟質で軽量なウレタン樹脂を使用して外周面１３ａ、溝１３ｂ、及び内周面１３Ｃ、フィン１３ｄはいずれも上面視において、円形状を呈して共に、一体で成形されている。この隠蔽具１３の構成は外周面１３ａが底面１ｃよりも大きく、フィン１３ｄの内径は、パイプ１８の外径よりも僅かに小径に形成されており溝１３ｂは、底面１ｃと合致する径で形成されている。一方、内周面１３ｃ、及びフィン１３ｄは、それぞれが、最も接近した箇所に偏心して位置され、上面視において最も偏心した箇所に横断面概略Ｃ字形の開口を有して形成されている。又フィン１３ｄは図１９に示すように内周面１３ｃよりも肉薄に形成され、パイプ１８寄り下部から下方に向け垂れ下がるように形成されている。そのため図２０に示すようにフィン１３ｄは、パイプ１８に密着して取り付けられる事になる。尚この隠蔽具１３は制作段階で溝１３ｂに底面１ｃが接着され、取り付けられている事が好まし。上述の実施例に示される隠蔽具１３は、軟質であるため緩衝性をも兼ね備えている。そのためこの隠蔽具１３は、自然災害による不測の落下時においても、地上にいる人や小動物にもたらす危害も軽減する事が出来る。しかしながら材質については上記実施例に限られるものではなく合成樹脂、ゴム、ポリエチレン、プラスチック、又は、金属、非鉄金属、及び木材等で制作されてもよい。形状についても上記実施例に限られるものではなく、三角形、四角形、五角形等、任意の形状を採用してもよい。つまり、筒体１ａの内部構造を隠蔽出来得るものであれば他の素材や形状を採用して、筒体１ａの底面１ｃに装着し（筒体１ａと一体で成形されてもよい）てもよい。
【手続補正６】
【補正対象書類名】明細書
【補正対象項目名】００３６
【補正方法】変更
【補正の内容】
【００３６】
又一変形例として隠蔽具１３は、筒体１ａと同様に偏心された箇所に開口部を有する板材を底面１ｃよりも僅かに大きく形成し、底面１ｃの外径と該当するツバ、もしくは溝を前記板材に形成して分割し、分割された該板材の双方の前記開口部に適度の厚みを有する軟質性素材を取り付け、分割された該板材の一方には開口２と対抗する箇所に突起を設け、他方には開口２と対向する箇所に、前記突起と嵌合する大きさに形成された嵌通孔を設けて、分割された前記板材の前記嵌通孔に前記突起を挿入して組み合わせ、引き広げ自在且つ、締め付け可能とされた前記板材を、底面１ｃに取り付けて前記開口部が筒体１ａの固定状態において、被取り付け体に密着して筒体１ａを隠蔽し兼保持するもの。又は、筒体１ａと同様に偏心された箇所に開口部を有する板材を底面１ｃよりも僅かに大きく形成し、底面１ｃの外径と該当するツバ、もしくは溝を前記板材に形成して分割し、（開口２と対向する箇所にスリット加工が施されたものでもよい）分割された該板材の双方の前記開口部に適度の厚みを有する軟質性素材を取り付け、引き広げ自在且つ、締め付け可能とされた前記板材を、底面１ｃに取り付けて前記開口部が筒体１ａの固定状態において、被取り付け体に密着して筒体１ａを隠蔽し兼保持すると言う隠蔽具がある。
【手続補正７】
【補正対象書類名】明細書
【補正対象項目名】００３７
【補正方法】変更
【補正の内容】
【００３７】
又は、図３に示す筒体１ａの底面付近Ｈの内周にツバ、もしくは溝を形成し筒体１ａと同様に偏心された箇所に開口部を有し、底面付近Ｈの内径とほぼ該当する大きさに形成された板材を分割し、分割された該板材の双方の前記開口部に適度の厚みを有する軟質性素材を取り付け、前記板材の一方には開口２と対向する箇所に突起を設け、他方には開口２と対向する箇所に、前記突起と嵌合する大きさに形成された嵌通孔を設けて、分割された前記板材の前記嵌通孔に前記突起を挿入して組み合わせ、引き広げ自在且つ、締め付け可能とされた前記板材を、底面付近Ｈの内周に形成された前記ツバ、又は前記溝に取り付け（筒体１ａの内部に一体で成形されてもよい）て、前記開口部が筒体１ａの固定状態において、被取り付け体に密着して筒体１ａを保持し兼隠蔽するもの。又は、図３に示す筒体１ａの底面付近Ｈの内周に、ツバ、もしくは溝を形成し筒体１ａと同様に偏心された箇所に開口部を有し、底面付近Ｈの内周の大きさとほぼ該当する大きさに形成された板材を分割（開口２と対向する箇所にスリット加工が施されたものでもよい）し、分割された該板材の双方の前記開口部に適度の厚みを有する軟質性素材を取り付け、引き広げ自在且つ、締め付け可能とされた前記板材を、前記ツバ、又は前記溝に取り付け（筒体１ａの内部に一体で成形されてもよい）て、前記開口部が筒体１ａの固定状態において、被取り付け体に密着して筒体１ａを保持し兼隠蔽すると言うような隠蔽具がある。その際、上述した軟質性素材を、適度の厚みを有するウレタン樹脂等を使用して上記開口部に取り付ければ、幾種類かのパイプの径や形状に適応して前記開口部が前記パイプに密着して取り付けられる事により、隠蔽兼保持する事も可能になる。
【手続補正８】
【補正対象書類名】明細書
【補正対象項目名】００３８
【補正方法】変更
【補正の内容】
【００３８】
又は、筒体１ａと同様に偏心された箇所に開口部を有する弾力性を備えた適度の厚みを有する軟質性素材を、図３に示す筒体１ａの底面付近Ｈの内周に取り付け、引き広げ自在且つ、締め付け可能とし、筒体１ａの固定状態において、被取り付け体に密着して筒体１ａを隠蔽し兼保持すると言うものがある。又は、弾力性を備えた軟質性素材を筒体１ａ内部の空洞部全面、もしくは内部前面及び内部両側面に装着して、当該軟質性素材の弾力で筒体１ａ内部の空洞部全面、もしくは内部前面及び内部両側面に負圧して、筒体１ａの固定状態において、被取り付け体に密着して底面１ｃを隠蔽し兼保持するもの。又は、エアーバックのような風船状の気体を、筒体１ａ内部の空洞部全面もしくは、内部前面及び内部両側面に装着して、コンプレッサーを使用して空気を注入し、負圧してその空気圧により筒体１ａの固定状態において、被取り付け体に前記気体が被取り付け体に密着して底面１ｃを隠蔽し兼保持する等の隠蔽具がある。尚上述したように筒体１ａの内部の多くは空洞である。すなわち、上記人感知器や触れると反応して警備会社にＧPSを介して通報されるセンサー等、小型の電気的構造物を筒体１ａの内部に内蔵して、隠蔽具１３の一部に開口を設け、当該開口にセンサーを取りつけ、ＧＰＳを介して携帯電話に直接配信されるセンサーや、警備会社にＧPSを介して通報される装置や、人が接近すると光が点滅する装置、又は屋内に設置された警報器に配信される感知器等を備える事が可能になる。